(57)【要約】【課題】固定仕切部および回転仕切部を、操作性と気密性を備えた適切な構成とし、かつ、容易に組み立て可能な吐出容器を提供する。【解決手段】容器本体１０と、容器本体１０に対して回転可能に取り付けられる蓋部２０と、容器本体１０とは別体に形成されるとともに容器本体１０の内部において支持される固定仕切部３０と、蓋部２０とは別体に形成されるとともに蓋部２０に支持され固定仕切部３０とともに収容空間１０Ｂを構成する回転仕切部４０と、を有する。固定仕切部３０は、容器本体１０の中心部側に設けられた第１支持部５１、および側壁部１２の内面側に設けられた第２支持部５２によって容器本体１０に支持される。回転仕切部４０は、蓋部２０との間に設けられた第３支持部５３によって蓋部２０に支持される。【選択図】図３
2017178353.tif 000002
【特許請求の範囲】
【請求項１】
底部および前記底部から連続して形成される側壁部によって内部空間を構成するとともに、前記側壁部の開放端側に形成される口部を有する容器本体と、
吐出口が設けられた天壁部を有し、前記口部に対して回転可能に取り付けられる蓋部と、
前記容器本体とは別体に形成されるとともに、前記容器本体の内部において支持され、前記容器本体の半径方向に延びる固定壁を有する固定仕切部と、
前記蓋部とは別体に形成されるとともに、前記蓋部に支持され、前記容器本体の半径方向に延びる回転壁を有しており、前記固定仕切部とともに内容物の収容空間を構成する回転仕切部と、
を有し、
前記固定仕切部は、前記容器本体の中心部側に設けられた第１支持部、および前記側壁部の内面側に設けられた第２支持部によって前記容器本体に支持されており、
前記回転仕切部は、前記蓋部との間に設けられた第３支持部によって前記蓋部に支持されており、
前記蓋部を前記容器本体に対して回転させることで、前記固定仕切部に対して前記回転仕切部を相対移動させ、前記収容空間の容積を減少させて前記収容空間に収容した内容物を前記吐出口から吐出させる、
吐出容器。
【請求項２】
前記第１支持部は、
前記容器本体の前記底部に設けられる第１軸部と、
前記固定仕切部に設けられ、前記第１軸部を保持する第１保持部と、
を有する、
請求項１に記載の吐出容器。
【請求項３】
前記第２支持部は、
前記容器本体の側壁部または前記固定仕切部のいずれか一方に設けられる第１凸部と、
前記容器本体の側壁部または前記固定仕切部のいずれか他方に設けられ、前記第１凸部と嵌合する第１凹部と、
を有する、
請求項１または請求項２の吐出容器。
【請求項４】
前記第３支持部は、
前記蓋部の中心部から離れた位置に設けられ、前記天壁部から前記回転仕切部に向けて延びる差込み部と、
前記回転仕切部に設けられ、前記差込み部が挿入される挿入穴と、
を有する、
請求項１から３のいずれか１項に記載の吐出容器。
【請求項５】
前記回転仕切部は、対向して設けられる第１回転壁部および第２回転壁部によって前記回転壁部が構成されるとともに、前記第１回転壁部および前記第２回転壁部の間に前記挿入穴が構成され、
前記固定仕切部は、対向して設けられる第１固定壁部および第２固定壁部によって前記固定壁部が構成されるとともに、前記天壁部に対向して設けられる固定上面部により、前記第１固定壁部および前記第２固定壁部の間の空間が塞がれている、
請求項４に記載の吐出容器。
【請求項６】
前記容器本体の底部に前記固定仕切部を支持させる、第４支持部をさらに有する、
請求項１から請求項５のいずれか１項に記載の吐出容器。
【請求項７】
前記第４支持部は、
前記底部または前記固定仕切部のいずれか一方に設けられる第２凸部と、
前記底部または前記固定仕切部のいずれか他方に設けられ、前記第２凸部と嵌合する第２凹部と、
を有する、
請求項６に記載の吐出容器。
【請求項８】
前記固定仕切部または前記回転仕切部のいずれか一方と前記天壁部を、前記蓋部の中心部側で支持する第５支持部をさらに有する、
請求項１から請求項７のいずれか１項に記載の吐出容器。
【請求項９】
前記第５支持部は、
前記天壁部の中心部に設けられる第２軸部と、
前記固定仕切部または前記回転仕切部のいずれか一方に設けられ、前記第２軸部を保持する第２保持部と、を有する、
請求項８に記載の吐出容器。
【請求項１０】
前記固定仕切部の前記固定壁および前記回転仕切部の前記回転壁を相互に係止させる係止部をさらに有する、
請求項１から請求項９のいずれか１項に記載の吐出容器。
【請求項１１】
前記係止部は、
前記固定壁部または前記回転壁部のいずれか一方に設けられる第３凸部と、
前記固定壁部または前記回転壁部のいずれか他方に設けられ、前記第３凸部と嵌合する第３凹部と、を有する、
請求項１０に記載の吐出容器。
【請求項１２】
前記固定仕切部および前記回転仕切部を、前記容器本体の中心部側で回転可能に連結する連結部をさらに有する、
請求項１から請求項１１のいずれか１項に記載の吐出容器。
【請求項１３】
前記連結部は、
前記固定仕切部または前記回転仕切部のいずれか一方に設けられる第３軸部と、
前記固定仕切部または前記回転仕切部のいずれか他方に設けられ、前記第３軸部を保持する第３保持部と、を有する、
請求項１２に記載の吐出容器。
【発明の詳細な説明】
【技術分野】
【０００１】
本発明は、蓋部を回転させることにより、蓋部に設けた吐出口から化粧料等の内容物を吐出することが可能な吐出容器に関する。
【背景技術】
【０００２】
従来、蓋部を回転させることにより、蓋部に設けた吐出口からクリーム状の化粧料等の内容物を吐出することが可能な吐出容器は知られている。例えば、特開２００６−１７６１７７号公報には、容器本体、蓋部、固定仕切部および回転仕切部を備えた吐出容器が開示されている。特開２００６−１７６１７７号公報の吐出容器では、容器本体の内部に固定仕切部と回転仕切部が設けられている。容器本体の内部は固定仕切部と回転仕切部で仕切られており、内容物を収容する収容室を構成している。固定仕切部は容器本体と一体に形成されている。回転仕切部は蓋部に形成された軸が差し込まれて蓋部とともに回転するように構成されている。容器本体に対して蓋部を回転させることにより、固定仕切部と回転仕切部のなす中心角度が小さくなり、収容室が減容して内容物を圧迫し、蓋部に設けられた吐出口から内容物が吐出される。
【０００３】
特開２００６−１７６１７７号公報の吐出容器のように、蓋部を回転させて内容物を吐出させる容器では、蓋部を軽い力で回転させて内容物を吐出することができる操作性と、収容室から内容物が漏れることを防止する気密性が求められる。ところが吐出容器は、固定仕切部と回転仕切部で内容物を圧迫して内容物を吐出する構造であるため、固定仕切部と回転仕切部に高い圧力が加わる。圧力によって固定仕切部および回転仕切部が変形すると、固定仕切部および回転仕切部の気密性が低下して収容室から内容物が漏れ出てしまう場合がある。反対に容器本体と回転仕切部が密着してしまい操作性が悪化する場合もある。このため、固定仕切部および回転仕切部は、吐出時に圧力が加わっても変形しにくい構成にする必要がある。
【先行技術文献】
【特許文献】
【０００４】
【特許文献１】特開２００６−１７６１７７号公報
【発明の概要】
【発明が解決しようとする課題】
【０００５】
しかしながら、特開２００６−１７６１７７号公報の吐出容器のように、固定仕切部が容器本体と一体成型される構成では、固定仕切部の形状は、容器本体と一体に射出成型可能な形状に限定される。例えば特開２００６−１７６１７７号公報の吐出容器では、固定仕切部は、上部から下部まで断面形状が略一定で、固定仕切部の容器側面側は肉厚が厚く、容器中心側の部分は肉厚が薄く、かつ自由端になっている。容器中心側の肉厚が薄く自由端の部分は、吐出時の圧力によって変形する可能性がある。また、固定仕切部の形状が限定されることにより、固定仕切部と対をなす回転仕切部の形状も、固定仕切部の形状に対応した形状にせざるを得ない。つまり、容器本体と固定仕切部を一体成型する構成では、固定仕切部と回転仕切部の形状が限定されるため、操作性と気密性を確保することが難しい。
【０００６】
吐出時の圧力による固定仕切部の変形を抑制するため、容器本体および固定仕切部をより強度の高いエンジニアリングプラスチックで一体成型することも考えられる。しかしながら、吐出時の圧力は容器の形状ごとに異なるため、吐出時の圧力に耐えうるように適切な樹脂素材を容器形状ごとに選定することは容易ではない。また、強度の高いエンジニアリングプラスチックは汎用の射出成型用樹脂素材より高価であり、容器本体全体を高価な樹脂素材で成型することにより製造コストが上昇してしまう問題がある。
【０００７】
また、容器本体と固定仕切部を一体成型する構成では、固定仕切部の肉厚部における樹脂収縮が原因となって成型面にヒケが発生する。容器本体の内部にヒケが生じると寸法異常となって操作性および気密性が著しく低下する。反対に容器本体の外部にヒケが生じると外観体裁が悪化するため、不良品となる。ヒケを抑制するため、固定仕切部の内部に凹部を形成して、固定仕切部の肉厚を薄くすることも可能ではある。しかしながら、固定仕切部の内部に一体成型で凹部を形成するには、容器本体の内部または外部から凹部を形成する必要がある。容器本体の外部に凹部を形成すると外観体裁が低下するため好ましくない。反対に容器本体の内部に凹部を形成すると、吐出容器を組み立てる際に、回転仕切部の軸穴に差し込むべき蓋部の軸部を誤って固定仕切部に形成された凹部に差し込むおそれがあり、吐出容器の組み立て容易性が損なわれてしまう問題がある。
【０００８】
さらに、吐出容器は、容器本体に蓋部を一旦組み付けると分解が容易でないため、内容物を充填してから、容器本体に蓋部を取り付ける必要がある。例えば、特開２００６−１７６１７７号公報の吐出容器に内容物を充填する場合、まず、容器本体内の固定仕切部に対して回転仕切部を所定位置に配置して収容室を構成する。収容室内に内容物を充填した後、回転仕切部の中心に蓋部の軸を挿入し、容器本体に蓋部を取り付けて、内容物の充填と吐出容器の組み立てを完了する。  しかしながら、吐出容器は部品点数が多いため組み立てに手数が掛かる。また、回転仕切部の配置位置を誤ると、蓋部を取り付けられないばかりか吐出容器が正しく作動しない状態となる。このため、吐出容器は、組み立て容易な構成であることが求められる。
【０００９】
本発明は、固定仕切部および回転仕切部を、操作性と気密性を備えた適切な構成とし、かつ、容易に組み立て可能な吐出容器を提供することを目的とする。
【課題を解決するための手段】
【００１０】
本発明の吐出容器は、
底部および前記底部から連続して形成される側壁部によって内部空間を構成するとともに、前記側壁部の開放端側に形成される口部を有する容器本体と、
吐出口が設けられた天壁部を有し、前記口部に対して回転可能に取り付けられる蓋部と、
前記容器本体とは別体に形成されるとともに、前記容器本体の内部において支持され、前記容器本体の半径方向に延びる固定壁を有する固定仕切部と、
前記蓋部とは別体に形成されるとともに、前記蓋部に支持され、前記容器本体の半径方向に延びる回転壁を有しており、前記固定仕切部とともに内容物の収容空間を構成する回転仕切部と、
を有し、
前記固定仕切部は、前記容器本体の中心部側に設けられた第１支持部、および前記側壁部の内面側に設けられた第２支持部によって前記容器本体に支持されており、
前記回転仕切部は、前記蓋部との間に設けられた第３支持部によって前記蓋部に支持されており、
前記蓋部を前記容器本体に対して回転させることで、前記固定仕切部に対して前記回転仕切部を相対移動させ、前記収容空間の容積を減少させて前記収容空間に収容した内容物を前記吐出口から吐出させる。
【発明の効果】
【００１１】
本発明の吐出容器によれば、固定仕切部は、容器本体とは別体に形成されているとともに、容器本体の中心部側に設けられた第１支持部、および側壁部の内面側に設けられた第２支持部によって容器本体に支持されている。このため、固定仕切部の形状は、容器本体と一体成型可能な形状に限定されず、固定仕切部と対をなす回転仕切部の形状も限定されない。また、固定仕切部および回転仕切部は容器本体と別体であるため、容器本体の素材と異なる素材を用いて固定仕切部および回転仕切部を成型することが可能である。さらに、固定仕切部は、容器本体の中心側の第１支持部および容器本体の側壁部側の第２支持部で支持される構成であるため、吐出圧力によって変形しにくく、かつ組み立てが容易である。よって、固定仕切部および回転仕切部を操作性と気密性を備えた適切な構成にすることができ、かつ、容易に組み立てが可能な吐出容器とすることができる。
【図面の簡単な説明】
【００１２】
【図１】図１は、本発明の実施形態１に係る吐出容器の正面図である。
【図２Ａ】図２Ａは、外蓋部を外した状態の吐出容器の平面図である。
【図２Ｂ】図２Ｂは、外蓋部を外した状態の吐出容器の平面図である。
【図２Ｃ】図２Ｃは、外蓋部を外した状態の吐出容器の平面図である。
【図３】図３は、図２ＡのＡ―Ａ線における断面図である。
【図４】図４は、図２ＡのＢ―Ｂ線における断面図である。
【図５】図５は、固定仕切部を示す図である。
【図６】図６は、回転仕切部を示す図である。
【図７】図７は、固定仕切部および回転仕切部を連結させた状態を示している。
【図８】図８は、本発明の実施形態２に係る吐出容器の正面図である。
【図９】図９は、外蓋部を外した状態の吐出容器の平面図である。
【図１０】図１０は、図９のＦ―Ｆ線における断面図である。
【図１１】図１１は、図９のＧ―Ｇ線における断面図である。
【図１２】図１２は、固定仕切部を示す図である。
【図１３】図１３は、回転仕切部を示す図である。
【図１４】図１４は、吐出容器の外蓋部を閉じた状態を示す正面断面図である。
【図１５】図１５は、吐出容器の外蓋部を開いた状態を示す正面断面図である。
【発明を実施するための形態】
【００１３】
本発明の一実施形態にかかる吐出容器は、
底部および前記底部から連続して形成される側壁部によって内部空間を構成するとともに、前記側壁部の開放端側に形成される口部を有する容器本体と、
吐出口が設けられた天壁部を有し、前記口部に対して回転可能に取り付けられる蓋部と、
前記容器本体とは別体に形成されるとともに、前記容器本体の内部において支持され、前記容器本体の半径方向に延びる固定壁を有する固定仕切部と、
前記蓋部とは別体に形成されるとともに、前記蓋部に支持され、前記容器本体の半径方向に延びる回転壁を有しており、前記固定仕切部とともに内容物の収容空間を構成する回転仕切部と、
を有し、
前記固定仕切部は、前記容器本体の中心部側に設けられた第１支持部、および前記側壁部の内面側に設けられた第２支持部によって前記容器本体に支持されており、
前記回転仕切部は、前記蓋部との間に設けられた第３支持部によって前記蓋部に支持されており、
前記蓋部を前記容器本体に対して回転させることで、前記固定仕切部に対して前記回転仕切部を相対移動させ、前記収容空間の容積を減少させて前記収容空間に収容した内容物を前記吐出口から吐出させる、吐出容器である（第１の構成）。
【００１４】
上記構成によれば、固定仕切部は、容器本体とは別体に形成されているとともに、容器本体の中心部側に設けられた第１支持部、および側壁部の内面側に設けられた第２支持部によって容器本体に支持されている。このため、固定仕切部の形状は、容器本体と一体成型可能な形状に限定されず、固定仕切部と対をなす回転仕切部の形状も限定されない。また、固定仕切部および回転仕切部は容器本体と別体であるため、容器本体の素材と異なる素材を用いて固定仕切部および回転仕切部を成型することが可能である。さらに、固定仕切部は、容器本体の中心側の第１支持部および容器本体の側壁部側の第２支持部で支持される構成であるため、吐出圧力によって変形しにくく、かつ組み立てが容易である。よって、固定仕切部および回転仕切部を操作性と気密性を備えた適切な構成にすることができ、かつ、容易に組み立てが可能な吐出容器とすることができる。
【００１５】
上記第１の構成において、
前記第１支持部は、
前記容器本体の前記底部に設けられる第１軸部と、
前記固定仕切部に設けられ、前記第１軸部を保持する第１保持部と、
を有してもよい（第２の構成）。
【００１６】
上記構成によれば、固定仕切部は、容器本体の中心部側に設けられた第１軸部を第１保持部で保持することによって容器本体に支持される。このため、容器本体に対して固定仕切部を確実に支持することができ、かつ、容易に組み立てが可能な吐出容器とすることができる。
【００１７】
上記第１から第２の構成において、
前記第２支持部は、
前記容器本体の側壁部または前記固定仕切部のいずれか一方に設けられる第１凸部と、
前記容器本体の側壁部または前記固定仕切部のいずれか他方に設けられ、前記第１凸部と嵌合する第１凹部と、を有してもよい（第３の構成）。
【００１８】
上記構成によれば、固定仕切部は、容器本体の側壁部の内面側に設けられた第１凸部および第１凹部を嵌合させることによって容器本体に支持される。このため、容器本体に対して固定仕切部を確実に支持することができ、かつ、容易に組み立てが可能な吐出容器とすることができる。
【００１９】
上記第１から第３の構成において、
前記第３支持部は、
前記蓋部の中心部から離れた位置に設けられ、前記天壁部から前記回転仕切部に向けて延びる差込み部と、
前記回転仕切部に設けられ、前記差込み部が挿入される挿入穴と、
を有してもよい（第４の構成）。
【００２０】
上記構成によれば、回転仕切部は、蓋部の中心部から離れた位置に設けられた差込み部が挿入穴に挿入されることによって蓋部に支持される。このため、蓋部に対して回転仕切部を容易な構成で確実に支持することができ、かつ、容易に組み立てが可能な吐出容器とすることができる。
【００２１】
上記第４の構成において、
前記回転仕切部は、対向して設けられる第１回転壁部および第２回転壁部によって前記回転壁部が構成されるとともに、前記第１回転壁部および前記第２回転壁部の間に前記挿入穴が構成され、
前記固定仕切部は、対向して設けられる第１固定壁部および第２固定壁部によって前記固定壁部が構成されるとともに、前記天壁部に対向して設けられる固定上面部により、前記第１固定壁部および前記第２固定壁部の間の空間が塞がれていてもよい（第５の構成）。
【００２２】
上記構成によれば、回転仕切部の上部には蓋部の差込み部を挿入可能な挿入穴が構成され、固定仕切部の上部は固定上面部により塞がれている。回転仕切部の上部に挿入穴があり、固定仕切部の上部は塞がれているため、蓋部の差込み部を挿入する際に迷わずに回転仕切部の挿入穴に挿入することができる。このため、吐出容器の組み立てを間違えずに容易に行うことができる。
【００２３】
上記第１から第５の構成において、
前記容器本体の底部に前記固定仕切部を支持させる、第４支持部をさらに有してもよい（第６の構成）。
【００２４】
上記構成によれば、固定仕切部は、容器本体の底部に設けられた第４支持部によって容器本体に支持される。固定仕切部は、第１支持部および第２支持部で支持されると同時に容器本体の底部において第４支持部でも支持されるため、容器本体に対して固定仕切部をより確実に支持することができるとともに、固定仕切部の組み立てを容易に行うことができる。
【００２５】
上記第６の構成において、
前記第４支持部は、
前記底部または前記固定仕切部のいずれか一方に設けられる第２凸部と、
前記底部または前記固定仕切部のいずれか他方に設けられ、前記第２凸部と嵌合する第２凹部と、
を有してもよい（第７の構成）。
【００２６】
上記構成によれば、固定仕切部は、容器本体の底部側に設けられた第２凸部および第２凹部を嵌合させることによって容器本体に支持される。このため、容器本体に対して固定仕切部をより確実に支持することができ、かつ、容易に組み立てが可能な吐出容器とすることができる。
【００２７】
上記第１から第７の構成において、
前記固定仕切部または前記回転仕切部のいずれか一方と前記天壁部を、前記蓋部の中心部側で支持する第５支持部をさらに有してもよい（第８の構成）。
【００２８】
上記構成によれば、固定仕切部または回転仕切部のいずれか一方は、第５支持部によって天壁部に蓋部の中心部側で支持される。このため、蓋部に対して固定仕切部または回転仕切部を確実に支持することができ、かつ、容易に組み立てが可能な吐出容器とすることができる。
【００２９】
上記第８の構成において、
前記第５支持部は、
前記天壁部の中心部に設けられる第２軸部と、
前記固定仕切部または前記回転仕切部のいずれか一方に設けられ、前記第２軸部を保持する第２保持部と、
を有してもよい（第９の構成）。
【００３０】
上記構成によれば、固定仕切部または回転仕切部のいずれか一方は、天壁部に蓋部の中心部側に設けられる第２軸部を第２保持部で保持させることによって支持される。このため、蓋部に対して固定仕切部または回転仕切部を確実に支持することができ、かつ、容易に組み立てが可能な吐出容器とすることができる。
【００３１】
上記第１から第９の構成において、
前記固定仕切部の前記固定壁および前記回転仕切部の前記回転壁を相互に係止させる係止部をさらに有してもよい（第１０の構成）。
【００３２】
上記構成によれば、固定仕切部の固定壁および回転仕切部の回転壁は、係止部により相互に係止することが可能である。吐出容器の組み立て時に固定仕切部および回転仕切部を係止しておくことで、固定仕切部および回転仕切部の相対位置を間違えずに組み立てることができる。このため、吐出容器の組み立てを間違えずに容易に行うことができる。
【００３３】
上記第１０の構成において、
前記係止部は、
前記固定壁部または前記回転壁部のいずれか一方に設けられる第３凸部と、
前記固定壁部または前記回転壁部のいずれか他方に設けられ、前記第３凸部と嵌合する第３凹部と、
を有してもよい（第１１の構成）。
【００３４】
上記構成によれば、固定仕切部の固定壁および回転仕切部の回転壁は、第３凸部および第３凹部を嵌合させることにより相互に係止することが可能である。吐出容器の組み立て時に固定仕切部および回転仕切部を係止しておくことで、固定仕切部および回転仕切部の相対位置を間違えずに組み立てることができる。また、吐出容器を使用すると係止部による係止は解除されるため、組み立てた後に係止部を解除する必要はなく、係止された状態のまま組み立てを行うことができる。このため、吐出容器の組み立てが容易になる。
【００３５】
上記第１から第１１の構成において、
前記固定仕切部および前記回転仕切部を、前記容器本体の中心部側で回転可能に連結する連結部をさらに有してもよい（第１２の構成）。
【００３６】
上記構成によれば、固定仕切部および回転仕切部は、連結部により、容器本体の中心部側で回転可能に連結される。固定仕切部および回転仕切部が相互に支持されるため、吐出時の圧力によって固定仕切部および回転仕切部が変形しにくくなる。また、組み立て時に固定仕切部および回転仕切部を連結しておくことで、固定仕切部および回転仕切部の相対位置を間違えずに組み立てることができるとともに、容器本体内部への配置が容易になる。このため、吐出容器の組み立てが容易になる。
【００３７】
上記第１２の構成において、
前記連結部は、
前記固定仕切部または前記回転仕切部のいずれか一方に設けられる第３軸部と、
前記固定仕切部または前記回転仕切部のいずれか他方に設けられ、前記第３軸部を保持する第３保持部と、
を有してもよい（第１３の構成）。
【００３８】
上記構成によれば、固定仕切部および回転仕切部は、第３軸部を第３保持部で保持することにより、容器本体の中心部側で回転可能に連結される。第３軸部および第３保持部によって固定仕切部および回転仕切部が相互に支持されるため、吐出時の圧力によって固定仕切部および回転仕切部が変形しにくくなる。また、組み立て時に固定仕切部および回転仕切部を連結しておくことで、固定仕切部および回転仕切部の相対位置を間違えずに組み立てることができるとともに、容器本体内部への配置が容易になる。このため、吐出容器の組み立てが容易になる。
【００３９】
［実施形態１］
以下、図面を参照し、本発明の実施形態１に係る吐出容器１００を詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００４０】
［全体構成］
まず、吐出容器１００の全体構成について説明する。図１は、本発明の実施形態１に係る吐出容器１００の正面図である。以下の図では、矢印Ｒは吐出容器１００の右方向を示し、矢印Ｌは左方向を示す。矢印Ｕは上方向、矢印Ｄは下方向を示す。矢印Ｆは前方向、矢印Ｂは後方向を示す。
【００４１】
図１に示すように、吐出容器１００は、容器本体１０、内蓋部２０、固定仕切部３０、回転仕切部４０、外装体８０および外蓋部９０を備えている。容器本体１０は、底部１１、側壁部１２および口部１４を有している。容器本体１０の内側には内部空間１０Ａが構成されている。容器本体１０の口部１４には、内蓋部２０が回転可能に取り付けられている。内蓋部２０は、天壁部２１を有している。天壁部２１には、吐出口２５が設けられている。口部１４と天壁部２１の間にはパッキン２６が配置されている。
【００４２】
固定仕切部３０および回転仕切部４０は、容器本体１０とは別体に形成されている。固定仕切部３０および回転仕切部４０は、容器本体１０の内部空間１０Ａに配置されている。固定仕切部３０および回転仕切部４０の上部は、天壁部２１の下面に接触している。固定仕切部３０は、容器本体１０に固定されており、回転仕切部４０は、内蓋部２０とともに回転可能である。固定仕切部３０および回転仕切部４０の構成については後述する。
【００４３】
外装体８０は、容器本体１０の外側に装着されている。外装体８０は、容器本体１０の底部１１および側壁部１２の外側を覆っている。外装体８０の上部には、雄螺子部８１が設けられている。外装体８０の上部には、外蓋部９０が取り付けられている。外蓋部９０は、内蓋部２０の上方を覆っている。外蓋部９０には、雌螺子部９１が設けられている。外装体８０と外蓋部９０は、雄螺子部８１および雌螺子部９１によって着脱可能である。
【００４４】
容器本体１０、内蓋部２０、固定仕切部３０、回転仕切部４０、外装体８０および外蓋部９０は、それぞれ射出成型手段によって成型されている。射出成型に用いる樹脂素材は、全て共通でもよいが、内容物Ｍを吐出する際に圧力が加わりやすい固定仕切部３０および回転仕切部４０については、より強度の高い別種の樹脂素材を用いて成型してもよい。このように固定仕切部３０および回転仕切部４０は容器本体１０とは別体で成型されているため、必要に応じて樹脂素材を使い分けることが可能である。
【００４５】
図２Ａ、図２Ｂおよび図２Ｃは、外蓋部９０を外した状態の吐出容器１００の平面図である。図２Ａに示すように、容器本体１０の内部空間１０Ａには、固定仕切部３０および回転仕切部４０が配置されている。固定仕切部３０は、容器本体１０に固定されている。回転仕切部４０は、内蓋部２０に支持されており、内蓋部２０とともに矢印Ｒ方向に、矢印Ｒの始点位置Ｒ１から終点位置Ｒ２まで回転可能である。容器本体１０の内部空間１０Ａは、固定仕切部３０および回転仕切部４０で仕切られることにより、収容部１０Ｂが構成されている。吐出口２５は、収容部１０Ｂの上方であって、回転仕切部４０に近い位置に設けられている。収容部１０Ｂには、例えばクリーム状の化粧料のように粘性が高い内容物Ｍが収容される。
【００４６】
図２Ａに示すように、回転仕切部４０の吐出開始位置Ｐ１は、回転仕切部４０が固定仕切部３０に対して矢印Ｒの始点Ｒ１側において接している状態である。内蓋部２０を矢印Ｒ方向に回転させると、回転仕切部４０は、内蓋部２０とともに矢印Ｒ方向に移動する。回転仕切部４０が吐出開始位置Ｐ１にある場合、収容部１０Ｂの容積は最も大きくなっている。内容物Ｍを充填する場合、回転仕切部４０を吐出開始位置Ｐ１に位置させ、収容部１０Ｂの容積最も大きくした状態で、内容物Ｍを収容部１０Ｂに充填する。
【００４７】
容器本体１０の口部１４の上面には、通気溝１８が形成されている。通気溝１８は、固定仕切部３０および回転仕切部４０が接触する部分と、内蓋部２０の外部とを連通させている。回転仕切部４０が矢印Ｒ方向に移動して吐出済み空間１０Ｃが形成されると（図２Ｂおよび図２Ｃ参照）、吐出済み空間１０Ｃに通気溝１８を介して外気が導入される。
【００４８】
図２Ｂは、内蓋部２０の回転にともなって、回転仕切部４０が吐出開始位置Ｐ１（図２Ａ参照）から吐出位置Ｐ２に移動した状態を示している。吐出位置Ｐ２は、吐出開始位置Ｐ１から吐出完了位置Ｐ３（図２Ｃ参照）までの途中の位置である。内蓋部２０を矢印Ｒ方向に回転させると、回転量に応じて収容空間１０Ｂの容積が減少して収容空間１０Ｂに収容した内容物Ｍを圧迫し、回転量に応じた量の内容物Ｍを吐出口２５から吐出させることが可能である。吐出位置Ｐ２にある回転仕切部４０と固定仕切部３０との間には、内容物Ｍが吐出されて空の空間になった吐出済み空間１０Ｃが形成されている。吐出済み空間１０Ｃには通気溝１８を介して外気が導入される。吐出済み空間１０Ｃに外気が導入されることにより、吐出済み空間１０Ｃが負圧になることを防止し、内蓋部２０を軽い力で回転させて内容物Ｍを吐出できるようにしている。
【００４９】
図２Ｃは、回転仕切部４０が吐出完了位置Ｐ３に移動した状態を示している。吐出完了位置Ｐ３では、回転仕切部４０は矢印Ｒの終点Ｒ２側において固定仕切部３０に接している。回転仕切部４０が吐出完了位置Ｐ３に到達すると、収容部１０Ｂの容積は最小になっており、内容物Ｍの吐出は完了する。反対に吐出済み空間１０Ｃは最大になっている。
【００５０】
［内部構成］
図３は、図２ＡのＡ―Ａ線における断面図である。容器本体１０の側壁部１２は、略円筒状であり、底部１１から連続して上方に向けて延びている。底部１１および側壁部１２によって内部空間１０Ａが構成されている。口部１４は、側壁部１２の開放端側に形成されている。
【００５１】
内蓋部２０は、容器本体１０の口部１４に対して回転可能に取り付けられている。内蓋部２０は、天壁部２１、および取付部２２を有している。取付部２２は、天壁部２１の周縁部から連続して下方に向けて延びている。取付部２２の内側には、取付凸部２３が形成されている。取付凸部２３は、取付部２２の周方向に延びる突条であり、内蓋部２０の中心方向に向けて突出している。容器本体１０の口部１４には、取付凸部２３に対応して抜け止め部１６が形成されている。抜け止め部１６は、口部１４の周方向に延びる突条であり、容器本体１０の外側に向けて突出している。
【００５２】
容器本体１０の口部１４に対して内蓋部２０を取り付け、内蓋部２０の取付凸部２３が、口部１４の抜け止め部１６を乗り越えることで、口部１４に内蓋部２０が取り付けられた状態が維持される。なお、取付凸部２３および抜け止め部１６の位置および突出量は、容器本体１０の口部１４に対して内蓋部２０が回転可能となるように設定されている。天壁部２１の下面と、固定仕切部３０および回転仕切部４０の上部は、内容物Ｍの漏れを防止でき、かつ、内蓋部２０が回転可能となる圧力で接触している。天壁部２１と容器本体１０の口部１４との間には、パッキン２６が配置されている。なお、図示は省略するが、口部１４の上部には通気溝１８（図２Ａ参照）が形成されている。
【００５３】
固定仕切部３０は、容器本体１０とは別体に形成されている。固定仕切部３０は、容器本体１０の内部において、容器本体１０の中心部側に設けられた第１支持部５１、および側壁部１２の内面側に設けられた第２支持部５２によって容器本体１０に支持されている。固定仕切部３０は、固定壁部３１、および固定上面部３４を有している。
【００５４】
固定壁部３１は、容器本体１０の内部空間１０Ａを仕切る部分である。固定壁部３１は、第１固定壁部３１１、第２固定壁部３１２および第３固定壁部３１３を有している（図５参照）。固定仕切部３０が容器本体１０に配置された状態で、第１固定壁部３１１および第２固定壁部３１２は、容器本体１０の半径方向に延びるように形成されている。第３固定壁部３１３は、第１固定壁部３１１および第２固定壁部３１２を接続している。第１固定壁部３１１、第２固定壁部３１２および第３固定壁部３１３の間には、空間３３が形成されている。固定上面部３４は、空間３３の上部を塞いでいる。空間３３の下部は、開放されている。固定壁部３１は、収容部１０Ｂに収容した内容物Ｍが漏れないように内蓋部２０および容器本体１０の内壁に接触している。
【００５５】
第１支持部５１は、第１軸部５１１および第１保持部５１２から構成されている。第１軸部５１１は、容器本体１０の底部１１の中心部に形成されている。第１軸部５１１は、上方に向けて延びるように形成されている。第１保持部５１２は、固定仕切部３０に形成されている。第１保持部５１２は、第１軸部５１１を内側に嵌合させて保持可能なように筒状に形成されている。第１軸部５１１および第１保持部５１２が嵌合することにより、固定仕切部３０は、容器本体１０の中心部側において支持されている。第１軸部５１１および第１保持部５１２は、底部１１からの高さを確保して、内容物Ｍを吐出する際の圧力に対抗できる強度を持たせている。
【００５６】
第２支持部５２は、第１凸部５２１および第１凹部５２２から構成されている。第１凸部５２１は、固定仕切部３０に形成されている。第１凸部５２１は容器本体１０の半径方向外側に向けて突出している。第１凸部５２１は上下方向に延びている。第１凹部５２２は、容器本体１０の側壁部１２の内面に形成されている。第１凹部５２２は上下方向に延びる凹状の溝である。第１凹部５２２は、第１凸部５２１が嵌合可能な形状に形成されている。第１凸部５２１および第１凹部５２２が嵌合することにより、固定仕切部３０は、容器本体１０の側壁部の内面において支持されている。第１凸部５２１および第１凹部５２２は、容器本体１０の口部１４の上部から底部１１付近まで形成されており、内容物Ｍを吐出する際の圧力に対抗できる強度を持たせている。なお、本実施形態では、第２支持部５２を構成する第１凸部５２１を固定仕切部３０に設け、第１凹部５２２を容器本体１０に設けたが、第１凸部５２１を容器本体１０に設け、第１凹部５２２を固定仕切部３０に設けてもよい。
【００５７】
図４は、図２ＡのＢ―Ｂ線における断面図である。容器本体１０の側壁部１２の下部には、周方向において等間隔に、回り止め溝１６が形成されている。外装体８０の内側には、回り止め溝１６に対応する位置に回り止め突部８２が形成されている。回り止め溝１６および回り止め突部８２が嵌合することにより、容器本体１０および外装体８０が相対的に回転できない構成になっている。このため、容器本体１０および内蓋部２０を相対回転させる際に、使用者は、外装体８０を把持して、内蓋部２０を回転させることが可能になっている。
【００５８】
回転仕切部４０は、容器本体１０および内蓋部２０とは別体に形成されている。回転仕切部４０は、内蓋部２０との間に設けられた第３支持部５３によって内蓋部２０に支持されている。回転仕切部４０は、回転壁部４１を有している。
【００５９】
回転壁部４１は、容器本体１０の内部空間１０Ａを仕切る部分である。回転壁部４１は、第１回転壁部４１１、第２回転壁部４１２および第３回転壁部４１３を有している（図６参照）。回転仕切部４０が容器本体１０に配置された状態で、第１回転壁部４１１および第２回転壁部４１２は、容器本体１０の半径方向に延びるように形成されている。第３回転壁部４１３は、第１回転壁部４１１および第２回転壁部４１２を接続している。第１回転壁部４１１、第２回転壁部４１２および第３回転壁部４１３の間には挿入穴４３が構成されている。回転壁部４１は、収容部１０Ｂに収容した内容物Ｍが漏れないように内蓋部２０および容器本体１０の内壁に接触している。
【００６０】
第３支持部５３は、差込み部５３１および挿入穴４３から構成されている。差込み部５３１は、内蓋部２０に設けられている。差込み部５３１は、天壁部２１の中心部から離れた位置に設けられ、天壁部２１から下方に向けて延びている。差込み部５３１は、回転仕切部４０の挿入穴４３に挿入されている。差込み部５３１が挿入穴４３に挿入されることにより、回転仕切部４０は内蓋部２０に支持されている。差込み部５３１および挿入穴４３は、回転仕切部４０の上部から容器本体１０の底部１１付近まで形成されており、内容物Ｍを吐出する際の圧力に対抗できる強度を持たせている。
【００６１】
図３および図４に示すように、回転仕切部４０は、内蓋部２０との間に設けられた第５支持部５５によって内蓋部２０の中心側で支持されている。第５支持部５５は、第２軸部５５１および第２保持部５５２から構成されている。第２軸部５５１は、内蓋部２０に設けられている。第２軸部５５１は、天壁部２１の中心部に設けられている。第２軸部５５１は、下方に向けて延びるように形成されている。第２保持部５５２は、回転仕切部４０に設けられている。第２保持部５５２は、第２軸部５５１を内側に嵌合させて保持可能なように筒状に形成されている。第２軸部５５１および第２保持部５５２が嵌合することにより、回転仕切部４０は、内蓋部２０の中心部側において支持されている。第２軸部５５１および第２保持部５５２は、天壁部２１からの上下方向の高さを確保して、内容物Ｍを吐出する際の圧力に対抗できる強度を持たせている。なお、本実施形態では、第２保持部５５２を回転仕切部４０に設けたが、第２保持部５５２を固定仕切部３０に設けるようにしてもよい。
【００６２】
また、図３および図４に示すように、固定仕切部３０および回転仕切部４０は、連結部７１によって容器本体１０の中心部側で回転可能に連結されている。連結部７１は、第３軸部７１１および第３保持部７１２から構成されている。第３軸部７１１は、回転仕切部４０に設けられている。第３軸部７１１は、下方に向けて延びるように形成されている。第３軸部７１１の下部には、突起７１３が形成されている。第３保持部７１２は、固定仕切部３０に設けられている。第３保持部７１２は、第３軸部７１１を内側に嵌合させて保持可能なように筒状に形成されている。第３保持部７１２の下部には、開口部７１４が形成されている。第３軸部７１１および第３保持部７１２が嵌合することにより、固定仕切部３０および回転仕切部４０は、容器本体１０の中心部側において支持される。また、第３軸部７１１および第３保持部７１２が嵌合した状態では、突起７１３が開口部７１４に嵌合しており、第３軸部７１１および第３保持部７１２が嵌合した状態を維持している。第３軸部７１１および第３保持部７１２は、上下方向の高さを確保して、内容物Ｍを吐出する際の圧力に対抗できる強度を持たせている。また、連結部７１は、下方の第１支持部５１および、上方の第５支持部５５の間に配置されており、第１支持部５１、連結部７１および第５支持部５５が上下方向に連続している。このため、固定仕切部３０および回転仕切部４０の強度を高くすることができ、内容物Ｍを吐出する際の圧力に対抗することができる。なお、本実施形態では、第３軸部７１１を回転仕切部４０に設け、第３保持部７１２を固定仕切部３０に設けたが、第３軸部７１１を固定仕切部３０に設け、第３保持部７１２を回転仕切部４０に設けてもよい。
【００６３】
図５は、固定仕切部３０を示す図である。図５Ａは、固定仕切部３０の平面図、図５Ｂは、図５ＡのＣ−Ｃ線における断面図である。図５Ａおよび図５Ｂに示すように、固定仕切部３０は、固定壁部３１、第１保持部５１２、第１凸部５２１、第３保持部７１２、および第３凹部６１２を有している。
【００６４】
固定壁部３１は、第１固定壁部３１１、第２固定壁部３１２および第３固定壁部３１３を有している。第１固定壁部３１１および第２固定壁部３１２は対向して設けられている。第３固定壁部３１３は、第１固定壁部３１１および第２固定壁部３１２を接続するように設けられている。第３固定壁部３１３は、容器本体１０の側壁部１２の内面に沿うように湾曲している。第１固定壁部３１１、第２固定壁部３１２および第３固定壁部３１３の内側には、空間３３が形成されている。空間３３の上部は固定上面部３４によって塞がれている。空間３３の下部は、開放されている。固定壁部３１と第１保持部５１２および第３保持部７１２との連結部は、十分な肉厚と上下方向の高さを確保しており、内容物Ｍを吐出する際の圧力に対抗できる強度を持たせている。
【００６５】
第１保持部５１２は、下方に向けて開口する筒状の部分である。第１保持部５１２は、容器本体１０の第１軸部５１１とともに第１支持部５１を構成する。
【００６６】
第１凸部５２１は、第３固定壁部３１３に設けられている。第１凸部５２１は凸条であり、上下方向に延びている。第１凸部５２１は、容器本体１０の第１凹部５２２とともに第２支持部５２を構成する。
【００６７】
第３保持部７１２は、第１保持部５１２の上方に設けられている。第３保持部７１２は、上方に向けて開口する筒状の部分である。第３保持部７１２の下部には、開口部７１４が形成されている。第３保持部７１２は、回転仕切部４０の第３軸部７１１とともに連結部７１を構成する。
【００６８】
第３凹部６１２は、第２固定壁部３１２に設けられている。第３凹部６１２は、上下方向に延びる凹状の溝である。第３凹部６１２は、回転仕切部４０の第３凸部６１１とともに係止部６１を構成する。
【００６９】
図６は、回転仕切部４０を示す図である。図６Ａは、回転仕切部４０の平面図、図６Ｂは、図６ＡのＤ−Ｄ線における断面図である。図６Ａおよび図６Ｂに示すように、回転仕切部４０は、回転壁部４１、挿入穴４３、第２保持部５５２、第３軸部７１１、および第３凸部６１１を有している。
【００７０】
回転壁部４１は、第１回転壁部４１１、第２回転壁部４１２および第３回転壁部４１３を有している。第１回転壁部４１１および第２回転壁部４１２は対向して設けられている。第３回転壁部４１３は、第１回転壁部４１１および第２回転壁部４１２を接続するように設けられている。第３回転壁部４１３は、容器本体１０の側壁部１２の内面に沿うように湾曲している。回転壁部４１と第２保持部５５２の連結部は、十分な肉厚を確保しており、内容物Ｍを吐出する際の圧力に対抗できる強度を持たせている。また、挿入穴４３の上下方向の深さを深くして、内蓋部２０に確実に支持させるようにしている。これにより、回転壁部４１と第２保持部５５２のねじれを防止して、内容物Ｍを吐出する際の圧力に対抗できる強度を持たせている。
【００７１】
挿入穴４３は、第１回転壁部４１１、第２回転壁部４１２および第３回転壁部４１３の内側に形成されている。挿入穴４３は、内蓋部２０の差込み部５３１とともに第３支持部５３を構成する。挿入穴４３の下部は、塞がれている。
【００７２】
第２保持部５５２は、上方に向けて開口する筒状の部分である。第２保持部５５２は、内蓋部２０の第２軸部５５１とともに第５支持部５５を構成する。
【００７３】
第３軸部７１１は、下方に向けて延びる軸状の部分である。第３軸部７１１の下部には、突起７１３が形成されている。第３軸部７１１は、固定仕切部３０の第３保持部７１２とともに連結部７１を構成する。
【００７４】
第３凸部６１１は、第１回転壁部４１１に設けられている。第３凸部６１１は、上下方向に延びる凸状の部分である。第３凸部６１１は、固定仕切部３０の第３凹部６１２とともに係止部６１を構成する。
【００７５】
図７は、固定仕切部３０および回転仕切部４０を連結させた状態を示している。図７Ａは、固定仕切部３０および回転仕切部４０を連結させた状態の平面図、図７Ｂは、図７ＡのＥ−Ｅ線における断面図である。図７Ａおよび図７Ｂに示すように、連結部７１を構成する回転仕切部４０の第３軸部７１１を固定仕切部３０の第３保持部７１２に挿入し、嵌合することで、固定仕切部３０および回転仕切部４０は連結される。第３軸部７１１および第３保持部７１２が嵌合した状態では、突起７１３が開口部７１４に嵌合しており、第３軸部７１１および第３保持部７１２が嵌合した状態を維持している。このため、固定仕切部３０および回転仕切部４０が連結した状態が維持される。
【００７６】
また、係止部６１を構成する固定仕切部３０の第３凹部６１２と回転仕切部４０の第３凸部６１１を嵌合させることにより、固定仕切部３０の第２固定壁部３１２および回転仕切部４０の第１回転壁部４１１が接し、固定仕切部３０に対して回転仕切部４０が吐出開始位置Ｐ１（図２Ａ参照）となった状態で係止される。
【００７７】
このように、連結部７１（第３軸部７１１、第３保持部７１２）および係止部６１（第３凸部６１１、第３凹部６１２）により、回転仕切部４０が吐出開始位置Ｐ１となるように固定仕切部３０および回転仕切部４０を連結することができる。このため、吐出容器１００を組み立てる際に、固定仕切部３０および回転仕切部４０の位置関係を間違えずに固定仕切部３０および回転仕切部４０を容器本体１０に配置することができる
【００７８】
また、第３軸部７１１および第３保持部７１２により、固定仕切部３０および回転仕切部４０を連結した状態が維持される。このため、固定仕切部３０および回転仕切部４０を容器本体１０に配置しやすくなり、吐出容器１００の組み立てが容易になる。
【００７９】
なお、本実施形態では、第３凸部６１１を回転壁部４１に設け、第３凹部６１２を固定壁部３１に設けたが、第３凸部６１１を固定壁部３１に設け、第３凹部６１２を回転壁部４１に設けてもよい。
【００８０】
つぎに、吐出容器１００を組み立てて、内容物Ｍを充填する手順について説明する。まず、図７で説明したように、回転仕切部４０の第３軸部７１１を固定仕切部３０の第３保持部７１２に挿入し、嵌合することで、固定仕切部３０および回転仕切部４０を連結する。また、固定仕切部３０の第３凹部６１２と、回転仕切部４０の第３凸部６１１を嵌合させることにより、固定仕切部３０に対して回転仕切部４０を吐出開始位置Ｐ１（図２Ａ参照）とした状態で係止させる。固定仕切部３０および回転仕切部４０を連結部７１で連結し、係止部６１で係止しているため、固定仕切部３０および回転仕切部４０の相対位置を間違えずに組み立てることができる。また、吐出容器１００を使用すると係止部６１による係止は解除されるため、組み立てた後に係止部６１を解除する必要はなく、係止された状態のまま組み立てを行うことができる。
【００８１】
つぎに、連結した固定仕切部３０および回転仕切部４０を容器本体１０に配置する。容器本体１０の中央部に設けた第１軸部５１１に固定仕切部３０の第１保持部５１２を嵌合させるとともに、容器本体１０の側壁部１２に設けた第１凹部５２２に固定仕切部３０の第１凸部５２１を嵌合させる（図３および図４参照）。これにより、固定仕切部３０は、容器本体１０の内部において、容器本体１０の中心部側に設けられた第１支持部５１、および側壁部１２の内面側に設けられた第２支持部５２によって容器本体１０に支持される。容器本体１０の内部空間１０Ａは、固定仕切部３０および回転仕切部４０で仕切られ、収容部１０Ｂが構成される。この状態で、収容部１０Ｂに内容物Ｍを充填する（図２Ａ参照）。
【００８２】
収容部１０Ｂに内容物Ｍを充填した後、容器本体１０の口部１４に内蓋部２０を取り付ける。まず、内蓋部２０の差込み部５３１を回転仕切部４０の挿入穴４３に挿入することで、回転仕切部４０を内蓋部２０に支持させ、同時に、内蓋部２０の第２軸部５５１を回転仕切部４０の第２保持部５５２に嵌合することにより、回転仕切部４０を内蓋部２０の中心部側において支持させる（図３および図４参照）。このとき、回転仕切部４０の上部には内蓋部２０の差込み部５３１を挿入可能な挿入穴４３が構成され、固定仕切部３０の上部は固定上面部３４により塞がれているため、内蓋部２０の差込み部５３１を挿入する際に迷わずに回転仕切部４０の挿入穴４３に挿入することができる。次いで、容器本体１０の口部１４に対して内蓋部２０を取り付け、内蓋部２０の取付凸部２３が、口部１４の抜け止め部１６を乗り越えるようにすることで、口部１４に内蓋部２０が取り付けられる。その後、容器本体１０の外側に外装体８０を装着し、外装体８０の上部に外蓋部９０を取り付ける。以上の手順により、吐出容器１００を組み立て、および内容物Ｍの充填が完了する。
【００８３】
［実施形態２］
実施形態２の吐出容器１００Ａは、固定仕切部１３０および回転仕切部１４０の構成が、実施形態１に係る吐出容器１００の固定仕切部３０および回転仕切部４０の構成と異なっている。以下の説明において、実施形態１と同様の構成には同一の符号を付して説明を省略し、実施形態１と異なる構成についてのみ説明する。
【００８４】
図８は、本発明の実施形態２に係る吐出容器１００Ａの正面図である。図８に示すように、吐出容器１００Ａは、容器本体１１０、内蓋部１２０および外蓋部１９０を有している。容器本体１１０は、底部１１１、内壁部１１２、外壁部１１３、口部１１４を有している。底部１１１および内壁部１１２により内部空間１１０Ａが構成されている。外壁部１１３は、内壁部１１２の外側に配置されている。内壁部１１２の上部と外壁部１１３の上部は、接続部１１５で接続されている。容器本体１１０の口部１１４には、内蓋部１２０が回転可能に取り付けられている。内蓋部１２０は、天壁部１２１を有している。天壁部１２１には、吐出口１２５が設けられている。吐出口１２５の周囲には、凹部１２７が形成されている。凹部１２７により、使用者が吐出口１２５から吐出された内容物Ｍを手指ですくい取る際に、すくい取り易くなる。口部１４と天壁部１２１の間にはパッキン１２６が配置されている。
【００８５】
固定仕切部１３０および回転仕切部１４０は、容器本体１１０の内部空間１１０Ａに配置されている。固定仕切部１３０および回転仕切部１４０の上部は、天壁部１２１の下面に接触している。固定仕切部１３０は、容器本体１１０に固定されている。回転仕切部１４０は、内蓋部１２０とともに回転可能である。固定仕切部１３０および回転仕切部１４０の構成については後述する。
【００８６】
外壁部１１３の上部には、雄螺子部１８１が設けられている。外壁部１１３の上部には、外蓋部１９０が取り付けられている。外蓋部１９０は、内蓋部１２０の上方を覆っている。外蓋部１９０には、雌螺子部１９１が設けられている。外壁部１１３と外蓋部１９０は、雄螺子部１８１および雌螺子部１９１によって着脱可能である。
【００８７】
図９は、外蓋部１９０を外した状態の吐出容器１００Ａの平面図である。容器本体１１０の内部空間１１０Ａには、固定仕切部１３０および回転仕切部１４０が配置されている。固定仕切部１３０は、容器本体１１０に固定されている。回転仕切部１４０は、内蓋部１２０に支持されており、内蓋部１２０とともに矢印Ｒ方向に、矢印Ｒの始点位置Ｒ１から終点位置Ｒ２まで回転可能である。容器本体１１０の内部空間１１０Ａは、固定仕切部１３０および回転仕切部１４０で仕切られることにより、収容部１１０Ｂが構成されている。吐出口１２５は、収容部１１０Ｂの上方であって、回転仕切部１４０に近い位置に設けられている。内蓋部１２０を矢印Ｒ方向に回転させることで、収容空間１１０Ｂの容積が減少して収容空間１１０Ｂに収容した内容物Ｍを圧迫し、内容物Ｍを吐出口１２５から吐出させることが可能である。
【００８８】
図１０は、図９のＦ―Ｆ線における断面図である。容器本体１１０の底部１１１および内壁部１１２によって内部空間１１０Ａが構成されている。口部１１４は、内壁部１１２の開放端側に形成されている。内蓋部１２０は、容器本体１１０の口部１１４に対して回転可能に取り付けられている。
【００８９】
固定仕切部１３０は、容器本体１１０とは別体に形成されている。固定仕切部１３０は、容器本体１１０の内部において、容器本体１１０の中心部側に設けられた第１支持部１５１、内壁部１１２の内面側に設けられた第２支持部１５２、および容器本体１１０の底部１１１との間に設けられた第４支持部１５４によって容器本体１１０に支持されている。また、固定仕切部１３０は、内蓋部１２０との間に設けられた第５支持部１５５によって内蓋部１２０の中心側で支持されている。
【００９０】
固定仕切部１３０は、固定壁部１３１、および固定上面部１３４を有している。固定壁部１３１は、容器本体１１０の内部空間１１０Ａを仕切る部分である。固定壁部１３１は、第１固定壁部１３１１、第２固定壁部１３１２および第３固定壁部１３１３を有している（図１２参照）。固定仕切部１３０が容器本体１１０に配置された状態で、第１固定壁部１３１１および第２固定壁部１３１２は、容器本体１１０の半径方向に延びるように形成されている。第３固定壁部１３１３は、第１固定壁部１３１１および第２固定壁部１３１２を接続している。第１固定壁部１３１１、第２固定壁部１３１２および第３固定壁部１３１３の間には、空間１３３が形成されている。固定上面部１３４は、空間１３３の上部を塞いでいる。空間１３３の下部は、開放されている。固定壁部１３１は、収容部１１０Ｂに収容した内容物Ｍが漏れないように内蓋部１２０および容器本体１１０に接触している。
【００９１】
第１支持部１５１は、第１軸部１５１１および第１保持部１５１２から構成されている。第１軸部１５１１は、容器本体１１０の底部１１１の中心部に形成されている。第１軸部１５１１は、上方に向けて延びるように形成されている。第１保持部１５１２は、固定仕切部１３０に形成されている。第１保持部１５１２は、第１軸部１５１１を内側に嵌合させて保持可能なように筒状に形成されている。第１軸部１５１１および第１保持部１５１２が嵌合することにより、固定仕切部１３０は、容器本体１１０の中心部側において支持されている。第１軸部１５１１および第１保持部１５１２は、底部１１１からの高さを確保して、内容物Ｍを吐出する際の圧力に対抗できる強度を持たせている。
【００９２】
第２支持部１５２は、第１凸部１５２１および第１凹部１５２２から構成されている。第１凸部１５２１は、固定仕切部１３０に形成されている。第１凸部１５２１は容器本体１１０の半径方向外側に向けて突出している。第１凸部１５２１は上下方向に延びている。第１凹部１５２２は、容器本体１１０の内壁部１１２の内面に形成されている。第１凹部１５２２は上下方向に延びる凹状の溝である。第１凹部１５２２は、第１凸部１５２１が嵌合可能な形状に形成されている。第１凸部１５２１および第１凹部１５２２が嵌合することにより、固定仕切部１３０は、容器本体１１０の側壁部の内面において支持されている。第１凸部１５２１および第１凹部１５２２は、容器本体１１０の口部１１４の上部から底部１１１付近まで形成されており、内容物Ｍを吐出する際の圧力に対抗できる強度を持たせている。
【００９３】
第４支持部１５４は、第２凸部１５４１および空間１３３から構成されている。第２凸部１５４１は、容器本体１１０の底部１１１に形成されている。第２凸部１５４１は、上方に向けて延びるように形成されている。第２凸部１５４１は、固定仕切部１３０の第１固定壁部１３１１、第２固定壁部１３１２および第３固定壁部１３１３で構成される空間１３３に嵌合可能な形状に形成されている。第２凸部１５４１が空間１３３に嵌合することにより、固定仕切部１３０は、容器本体１１０の底部１１１において支持されている。なお、第２凸部１５４１が空間１３３に嵌合することにより、固定仕切部１３０の空間１３３の下部が閉じられる。このため、固定仕切部１３の強度が向上する。空間１３３は、本発明の第２凹部に相当する。なお、本実施形態では、第２凸部５４１を底部１１１に設け、第２凹部としての空間１３３を固定仕切部１３０に設けたが、第２凸部５４１を固定仕切部１３０に設け、第２凹部を底部１１１に設けてもよい。
【００９４】
第５支持部１５５は、第２軸部１５５１および第２保持部１５５２から構成されている。第２軸部１５５１は、内蓋部１２０に設けられている。第２軸部１５５１は、天壁部１２１の中心部に設けられている。第２軸部１５５１は、下方に向けて延びるように形成されている。第２保持部１５５２は、固定仕切部１３０に設けられている。第２保持部１５５２は、第２軸部１５５１を内側に嵌合させて保持可能なように筒状に形成されている。第２軸部１５５１および第２保持部１５５２が嵌合することにより、固定仕切部１３０は、内蓋部１２０の中心部側において支持される。第２軸部１５５１および第２保持部１５５２は、天壁部１２１からの上下方向の高さを確保して、内容物Ｍを吐出する際の圧力に対抗できる強度を持たせている。また、第５支持部１５５は、下方の第１支持部１５１と上下方向に連続している。このため、固定仕切部１３０の強度を高くすることができ、内容物Ｍを吐出する際の圧力に対抗することができる。
【００９５】
図１１は、図９のＧ―Ｇ線における断面図である。図１１に示すように、回転仕切部１４０は、容器本体１１０および内蓋部１２０とは別体に形成されている。回転仕切部１４０は、内蓋部１２０との間に設けられた第３支持部１５３によって内蓋部１２０に支持されている。回転仕切部１４０は、回転壁部１４１を有している。
【００９６】
回転壁部１４１は、容器本体１１０の内部空間１１０Ａを仕切る部分である。回転壁部１４１は、第１回転壁部１４１１、第２回転壁部１４１２および第３回転壁部１４１３を有している（図１３参照）。回転仕切部１４０が容器本体１１０に配置された状態で、第１回転壁部１４１１および第２回転壁部１４１２は、容器本体１１０の半径方向に延びるように形成されている。第３回転壁部１４１３は、第１回転壁部１４１１および第２回転壁部１４１２を接続している。第１回転壁部１４１１、第２回転壁部１４１２および第３回転壁部１４１３の間には挿入穴１４３が構成されている。回転壁部１４１は、収容部１１０Ｂに収容した内容物Ｍが漏れないように内蓋部１２０および容器本体１１０に接触している。
【００９７】
第３支持部１５３は、差込み部１５３１および挿入穴１４３から構成されている。差込み部１５３１は、内蓋部１２０に設けられている。差込み部１５３１は、天壁部１２１の中心部から離れた位置に設けられ、天壁部１２１から下方に向けて延びている。差込み部１５３１は、回転仕切部１４０の挿入穴１４３に挿入されている。差込み部１５３１が挿入穴１４３に挿入されることにより、回転仕切部１４０は内蓋部１２０に支持されている。差込み部１５３１および挿入穴１４３は、回転仕切部１４０の上部から容器本体１１０の底部１１１付近まで形成されており、内容物Ｍを吐出する際の圧力に対抗できる強度を持たせている。
【００９８】
図１２は、固定仕切部１３０を示す図である。図１２Ａは、固定仕切部１３０の平面図、図１２Ｂは、図１２ＡのＨ−Ｈ線における断面図である。図１２Ａおよび図１２Ｂに示すように、固定仕切部１３０は、固定壁部３１、第１保持部１５１２、第１凸部１５２１、第２保持部１５５２、および第３凹部６１２を有している。
【００９９】
固定壁部１３１は、第１固定壁部１３１１、第２固定壁部１３１２および第３固定壁部１３１３を有している。第１固定壁部１３１１および第２固定壁部１３１２は対向して設けられている。第３固定壁部１３１３は、第１固定壁部１３１１および第２固定壁部１３１２を接続するように設けられている。第３固定壁部１３１３は、容器本体１１０の内壁部１１２の内面に沿うように湾曲している。第１固定壁部１３１１、第２固定壁部１３１２および第３固定壁部１３１３の内側には、空間１３３が形成されている。空間１３３の上部は固定上面部３４によって塞がれている。空間１３３の下部は、開放されている。空間１３３は、容器本体１１０の第２凸部１５４１とともに第４支持部１５４を構成する。固定壁部１３１と第１保持部１５１２および第２保持部１５５２との連結部は、十分な肉厚と上下方向の高さを確保しており、内容物Ｍを吐出する際の圧力に対抗できる強度を持たせている。
【０１００】
第１保持部１５１２は、下方に向けて開口する筒状の部分である。第１保持部１５１２は、容器本体１１０の第１軸部１５１１とともに第１支持部１５１を構成する。
【０１０１】
第１凸部１５２１は、第３固定壁部１３１３に設けられている。第１凸部１５２１は凸条であり、上下方向に延びている。第１凸部１５２１は、容器本体１１０の第１凹部５２２とともに第２支持部１５２を構成する。
【０１０２】
第２保持部１５５２は、上方に向けて開口する筒状の部分である。第２保持部１５５２は、内蓋部２０の第２軸部１５５１とともに第５支持部１５５を構成する。
【０１０３】
第３凹部６１２は、第２固定壁部１３１２に設けられている。第３凹部６１２は、上下方向に延びる凹状の溝である。第３凹部６１２は、回転仕切部１４０の第３凸部６１１とともに係止部６１を構成する。
【０１０４】
図１３は、回転仕切部１４０を示す図である。図１３Ａは、回転仕切部１４０の平面図、図１３Ｂは、図１３ＡのＪ−Ｊ線における断面図である。図１３Ａおよび図１３Ｂに示すように、回転仕切部１４０は、回転壁部１４１、挿入穴１４３、および第３凸部６１１を有している。
【０１０５】
回転壁部１４１は、第１回転壁部１４１１、第２回転壁部１４１２および第３回転壁部１４１３を有している。第１回転壁部１４１１および第２回転壁部１４１２は対向して設けられている。第３回転壁部１４１３は、第１回転壁部１４１１および第２回転壁部１４１２を接続するように設けられている。第３回転壁部１４１３は、容器本体１１０の内壁部１１２の内面に沿うように湾曲している。
【０１０６】
挿入穴１４３は、第１回転壁部１４１１、第２回転壁部１４１２および第３回転壁部１４１３の内側に形成されている。挿入穴１４３は、内蓋部２０の差込み部５３１とともに第３支持部１５３を構成する。挿入穴１４３の下部は、塞がれている。挿入穴１４３は、上下方向の深さを深くして、内蓋部１２０に確実に支持させるようにしている。これにより、内容物Ｍを吐出する際の圧力に対抗できる強度を持たせている。
【０１０７】
第３凸部６１１は、第１回転壁部１４１１に設けられている。第３凸部６１１は、上下方向に延びる凸状の部分である。第３凸部６１１は、固定仕切部１３０の第３凹部６１２とともに係止部６１を構成する。
【０１０８】
［実施形態３］
実施形態３の吐出容器１００Ｂは、内蓋部２２０および外蓋部２９０がヒンジ２９５で連結されている点が実施形態２とは異なる。以下の説明において、実施形態２と同様の構成には同一の符号を付して説明を省略し、実施形態２と異なる構成についてのみ説明する。
【０１０９】
図１４は、吐出容器１００Ｂの外蓋部２９０を閉じた状態を示す正面断面図である。図１５は、吐出容器１００Ｂの外蓋部２９０を開いた状態を示す正面断面図である。図１４に示すように、吐出容器１００Ｂは、容器本体２１０、内蓋部２２０、および外蓋部２９０を有している。
【０１１０】
容器本体２１０の口部２１４には、内蓋部２２０が回転可能に取り付けられている。内蓋部２２０は、天壁部２２１を有している。天壁部２２１には、吐出筒２２６が形成されている。吐出筒２２６の内部には、容器本体２１０の収容空間２１０Ｂと連通する吐出口２２５が形成されている。外蓋部２９０は、内蓋部２２０に対してヒンジ２９５で接続されている。
【０１１１】
固定仕切部１３０および回転仕切部１４０は、容器本体２１０の内部空間２１０Ａに配置されている。固定仕切部１３０は、容器本体２１０に固定されており、回転仕切部１４０は、内蓋部２２０とともに回転可能である。
【０１１２】
図１５に示すように、内容物Ｍを吐出する場合、内蓋部２２０に対して外蓋部２９０を開き、内蓋部２２０および外蓋部２９０を容器本体２１０に対して回転させる。これにより、収容空間２１０Ｂの容積が減少して収容空間２１０Ｂに収容した内容物Ｍを圧迫し、内容物Ｍを吐出口２２５から吐出させることが可能である。
【０１１３】
［変形例］
本発明に係る吐出容器は、上記説明した本実施形態に限定されない。例えば、容器本体、固定仕切部、回転仕切部の形状は、本実施形態の形状に限定されない。
【０１１４】
容器本体の口部と内蓋部との間に、クリック機構を設けてもよい。例えば、内蓋部の内面に鋸歯状の段差を周方向に設け、容器本体の口部にこの鋸歯状の段差に接触する突起を設ける。容器本体に対して内蓋部を回転させる際に、クリック機構によって一定の抵抗を付与することにより、内蓋部を不用意に回転させて内容物が吐出されることを抑制することができる。また、クリック機構によるクリック感により、内容物を適量吐出できるように把握することができる。
【０１１５】
実施形態１では、容器本体１０に対して外装体８０は固定されているとしたが、容器本体１０と外装体８０は取り外せるようにしてもよい。例えば、本発明の吐出機構を備えた容器本体１０（内蓋部２０、固定仕切部３０、回転仕切部４０を含む）をレフィル容器とし、外装体８０および外蓋部９０を再利用するようにしてもよい。この場合、内容物Ｍを吐出し終わったら容器本体１０から外装体８０および外蓋部９０を外し、新たな容器本体１０（レフィル容器）に取り外した外装体８０および外蓋部９０を装着して使用する。これにより、レフィル容器は容器本体１０と外装体８０を含まないため、容器コストを低減させることができ、化粧品等の製品を低コストで提供することができる。
【０１１６】
以上、本発明の実施形態を説明したが、上述した実施形態は本発明を実施するための例示に過ぎない。よって、本発明は上述した実施形態に限定されることなく、その趣旨を逸脱しない範囲内で上述した実施形態を適宜変形して実施することが可能である。  
【符号の説明】
【０１１７】
１００  吐出容器
１０    容器本体
１０Ａ  内部空間
１０Ｂ  収容空間
１１    底部
１２    側壁部
２０    内蓋部
２５    吐出口
３０    固定仕切部
３１    固定壁
４０    回転仕切部
４１    回転壁
５１    第１支持部
５２    第２支持部
５３    第３支持部
Ｍ      内容物
【図１】
2017178353.tif 000003
【図２Ａ】
2017178353.tif 000004
【図２Ｂ】
2017178353.tif 000005
【図２Ｃ】
2017178353.tif 000006
【図３】
2017178353.tif 000007
【図４】
2017178353.tif 000008
【図５】
2017178353.tif 000009
【図６】
2017178353.tif 000010
【図７】
2017178353.tif 000011
【図８】
2017178353.tif 000012
【図９】
2017178353.tif 000013
【図１０】
2017178353.tif 000014
【図１１】
2017178353.tif 000015
【図１２】
2017178353.tif 000016
【図１３】
2017178353.tif 000017
【図１４】
2017178353.tif 000018
【図１５】
2017178353.tif 000019
【手続補正書】
【提出日】平成28年9月6日(2016.9.6)
【手続補正１】
【補正対象書類名】特許請求の範囲
【補正対象項目名】全文
【補正方法】変更
【補正の内容】
【特許請求の範囲】
【請求項１】
底部および前記底部から連続して形成される側壁部によって内部空間を構成するとともに、前記側壁部の開放端側に形成される口部を有する容器本体と、
吐出口が設けられた天壁部を有し、前記口部に対して回転可能に取り付けられる蓋部と、
前記容器本体とは別体に形成されるとともに、前記容器本体の内部において支持され、前記容器本体の半径方向に延びる固定壁部を有する固定仕切部と、
前記蓋部とは別体に形成されるとともに、前記蓋部に支持され、前記容器本体の半径方向に延びる回転壁部を有しており、前記固定仕切部とともに内容物の収容空間を構成する回転仕切部と、
を有し、
前記固定仕切部は、前記容器本体の中心部側に設けられた第１支持部、および前記側壁部の内面側に設けられた第２支持部によって前記容器本体に支持されており、
前記回転仕切部は、前記蓋部との間に設けられた第３支持部によって前記蓋部に支持されており、
前記第３支持部は、
前記蓋部の中心部から離れた位置に設けられ、前記天壁部から前記回転仕切部に向けて延びる差込み部と、
前記回転仕切部に設けられ、前記差込み部が挿入される挿入穴と、
を有し、
前記回転仕切部は、対向して設けられる第１回転壁部および第２回転壁部によって前記回転壁部が構成されるとともに、前記第１回転壁部および前記第２回転壁部の間に前記挿入穴が構成され、
前記固定仕切部は、対向して設けられる第１固定壁部および第２固定壁部によって前記固定壁部が構成されるとともに、前記天壁部に対向して設けられる固定上面部により、前記第１固定壁部および前記第２固定壁部の間の空間が塞がれており、
前記蓋部を前記容器本体に対して回転させることで、前記固定仕切部に対して前記回転仕切部を相対移動させ、前記収容空間の容積を減少させて前記収容空間に収容した内容物を前記吐出口から吐出させる、
吐出容器。
【請求項２】
前記第１支持部は、
前記容器本体の前記底部に設けられる第１軸部と、
前記固定仕切部に設けられ、前記第１軸部を保持する第１保持部と、
を有する、
請求項１に記載の吐出容器。
【請求項３】
前記第２支持部は、
前記容器本体の側壁部または前記固定仕切部のいずれか一方に設けられる第１凸部と、
前記容器本体の側壁部または前記固定仕切部のいずれか他方に設けられ、前記第１凸部と嵌合する第１凹部と、
を有する、
請求項１または請求項２の吐出容器。
【請求項４】
前記容器本体の底部に前記固定仕切部を支持させる、第４支持部をさらに有する、
請求項１から請求項３のいずれか１項に記載の吐出容器。
【請求項５】
前記第４支持部は、
前記底部または前記固定仕切部のいずれか一方に設けられる第２凸部と、
前記底部または前記固定仕切部のいずれか他方に設けられ、前記第２凸部と嵌合する第２凹部と、
を有する、
請求項４に記載の吐出容器。
【請求項６】
前記固定仕切部または前記回転仕切部のいずれか一方と前記天壁部を、前記蓋部の中心部側で支持する第５支持部をさらに有する、
請求項１から請求項５のいずれか１項に記載の吐出容器。
【請求項７】
前記第５支持部は、
前記天壁部の中心部に設けられる第２軸部と、
前記固定仕切部または前記回転仕切部のいずれか一方に設けられ、前記第２軸部を保持する第２保持部と、を有する、
請求項６に記載の吐出容器。
【請求項８】
前記固定仕切部の前記固定壁部および前記回転仕切部の前記回転壁部を相互に係止させる係止部をさらに有する、
請求項１から請求項７のいずれか１項に記載の吐出容器。
【請求項９】
前記係止部は、
前記固定壁部または前記回転壁部のいずれか一方に設けられる第３凸部と、
前記固定壁部または前記回転壁部のいずれか他方に設けられ、前記第３凸部と嵌合する第３凹部と、を有する、
請求項８に記載の吐出容器。
【請求項１０】
前記固定仕切部および前記回転仕切部を、前記容器本体の中心部側で回転可能に連結する連結部をさらに有する、
請求項１から請求項９のいずれか１項に記載の吐出容器。
【請求項１１】
前記連結部は、
前記固定仕切部または前記回転仕切部のいずれか一方に設けられる第３軸部と、
前記固定仕切部または前記回転仕切部のいずれか他方に設けられ、前記第３軸部を保持する第３保持部と、を有する、
請求項１０に記載の吐出容器。
【手続補正２】
【補正対象書類名】明細書
【補正対象項目名】００１０
【補正方法】変更
【補正の内容】
【００１０】
本発明の吐出容器は、
底部および前記底部から連続して形成される側壁部によって内部空間を構成するとともに、前記側壁部の開放端側に形成される口部を有する容器本体と、
吐出口が設けられた天壁部を有し、前記口部に対して回転可能に取り付けられる蓋部と、
前記容器本体とは別体に形成されるとともに、前記容器本体の内部において支持され、前記容器本体の半径方向に延びる固定壁部を有する固定仕切部と、
前記蓋部とは別体に形成されるとともに、前記蓋部に支持され、前記容器本体の半径方向に延びる回転壁部を有しており、前記固定仕切部とともに内容物の収容空間を構成する回転仕切部と、
を有し、
前記固定仕切部は、前記容器本体の中心部側に設けられた第１支持部、および前記側壁部の内面側に設けられた第２支持部によって前記容器本体に支持されており、
前記回転仕切部は、前記蓋部との間に設けられた第３支持部によって前記蓋部に支持されており、
前記蓋部を前記容器本体に対して回転させることで、前記固定仕切部に対して前記回転仕切部を相対移動させ、前記収容空間の容積を減少させて前記収容空間に収容した内容物を前記吐出口から吐出させる。
【手続補正３】
【補正対象書類名】明細書
【補正対象項目名】００１３
【補正方法】変更
【補正の内容】
【００１３】
本発明の一実施形態にかかる吐出容器は、
底部および前記底部から連続して形成される側壁部によって内部空間を構成するとともに、前記側壁部の開放端側に形成される口部を有する容器本体と、
吐出口が設けられた天壁部を有し、前記口部に対して回転可能に取り付けられる蓋部と、
前記容器本体とは別体に形成されるとともに、前記容器本体の内部において支持され、前記容器本体の半径方向に延びる固定壁部を有する固定仕切部と、
前記蓋部とは別体に形成されるとともに、前記蓋部に支持され、前記容器本体の半径方向に延びる回転壁部を有しており、前記固定仕切部とともに内容物の収容空間を構成する回転仕切部と、
を有し、
前記固定仕切部は、前記容器本体の中心部側に設けられた第１支持部、および前記側壁部の内面側に設けられた第２支持部によって前記容器本体に支持されており、
前記回転仕切部は、前記蓋部との間に設けられた第３支持部によって前記蓋部に支持されており、
前記蓋部を前記容器本体に対して回転させることで、前記固定仕切部に対して前記回転仕切部を相対移動させ、前記収容空間の容積を減少させて前記収容空間に収容した内容物を前記吐出口から吐出させる、吐出容器である（第１の構成）。
【手続補正４】
【補正対象書類名】明細書
【補正対象項目名】００３１
【補正方法】変更
【補正の内容】
【００３１】
上記第１から第９の構成において、
前記固定仕切部の前記固定壁部および前記回転仕切部の前記回転壁部を相互に係止させる係止部をさらに有してもよい（第１０の構成）。
【手続補正５】
【補正対象書類名】明細書
【補正対象項目名】００３２
【補正方法】変更
【補正の内容】
【００３２】
上記構成によれば、固定仕切部の固定壁部および回転仕切部の回転壁部は、係止部により相互に係止することが可能である。吐出容器の組み立て時に固定仕切部および回転仕切部を係止しておくことで、固定仕切部および回転仕切部の相対位置を間違えずに組み立てることができる。このため、吐出容器の組み立てを間違えずに容易に行うことができる。
【手続補正６】
【補正対象書類名】明細書
【補正対象項目名】００３４
【補正方法】変更
【補正の内容】
【００３４】
上記構成によれば、固定仕切部の固定壁部および回転仕切部の回転壁部は、第３凸部および第３凹部を嵌合させることにより相互に係止することが可能である。吐出容器の組み立て時に固定仕切部および回転仕切部を係止しておくことで、固定仕切部および回転仕切部の相対位置を間違えずに組み立てることができる。また、吐出容器を使用すると係止部による係止は解除されるため、組み立てた後に係止部を解除する必要はなく、係止された状態のまま組み立てを行うことができる。このため、吐出容器の組み立てが容易になる。
【手続補正７】
【補正対象書類名】明細書
【補正対象項目名】０１１７
【補正方法】変更
【補正の内容】
【０１１７】
１００  吐出容器
１０    容器本体
１０Ａ  内部空間
１０Ｂ  収容空間
１１    底部
１２    側壁部
２０    内蓋部
２５    吐出口
３０    固定仕切部
３１    固定壁部
４０    回転仕切部
４１    回転壁部
５１    第１支持部
５２    第２支持部
５３    第３支持部
Ｍ      内容物